(57)【要約】【課題】ディジタルテレビジョン放送信号を受信するディジタルテレビジョン放送受信装置において、ブート時の待ち時間を有効に利用することができるようにする。【解決手段】ディジタルテレビジョン放送受信装置１は、システム稼動時に、ディジタルテレビジョン放送信号の中からＥＰＧに関するデータを抽出して所定時間ごとの番組表を作成し、作成した番組表をフラッシュメモリ１６に記憶する。そして、装置１のブートの際、フラッシュメモリ１６に記憶されている番組表の中からブートされる時間帯における番組表を選択し、この選択された番組表を、制御プログラムがロードされてシステムが起動されるまでの間、ブート画面として出力する。番組表をブート画面として出力することにより、ユーザは、装置１を操作することができないブート時の待ち時間を放送される番組の把握などに有効に利用することができる。【選択図】  図１
2006025195.tif 000002
【特許請求の範囲】
【請求項１】
ディジタルテレビジョン放送信号を受信する受信手段と、
前記受信手段により受信したディジタルテレビジョン放送信号から映像、音声、及びデータの各要素信号を抽出する要素信号抽出手段と、
前記要素信号抽出手段により抽出された各要素信号をモニタ出力する出力手段と、
装置のブート時に、ブートストラッププログラム（Boot  Strap  Program）を実行することにより、制御プログラムをロードして、システムを起動させるブート手段と、
を備えたディジタルテレビジョン放送受信装置において、
前記要素信号抽出手段により抽出されたＥＰＧ（Electronic  Program  Guide）に関するデータに基づいて、所定時間ごとの番組表を、所定期間先まで作成する番組表作成手段と、
前記番組表作成手段により作成された番組表を記憶する番組表記憶手段とを更に備え、
前記ブート手段は、前記番組表記憶手段に記憶されている番組表の中からブートされる時間帯における番組表を選択し、この選択された番組表を、前記制御プログラムがロードされて前記システムが起動されるまでの間、ブート画面として出力させることを特徴とするディジタルテレビジョン放送受信装置。
【請求項２】
ディジタルテレビジョン放送信号を受信する受信手段と、
前記受信手段により受信したディジタルテレビジョン放送信号から映像、音声、及びデータの各要素信号を抽出する要素信号抽出手段と、
前記要素信号抽出手段により抽出された各要素信号をモニタ出力する出力手段と、
装置のブート時に、ブートストラッププログラムを実行することにより、制御プログラムをロードして、システムを起動させるブート手段と、
を備えたディジタルテレビジョン放送受信装置において、
前記要素信号抽出手段により抽出されたＥＰＧに関するデータを記憶するＥＰＧ記憶手段を更に備え、
前記ブート手段は、前記ＥＰＧ記憶手段に記憶されているＥＰＧに関するデータを、前記制御プログラムがロードされて前記システムが起動されるまでの間、ブート画面として出力させることを特徴とするディジタルテレビジョン放送受信装置。
【請求項３】
ディジタルテレビジョン放送受信装置のシステムを起動させる、ディジタルテレビジョン放送受信装置のブート方法であって、
ブートストラッププログラムを実行するＢＳＰ実行ステップと、
前記ＢＳＰ実行ステップに基づいて、不揮発性メモリに記憶されているＥＰＧに関するデータをロードし、このデータを、制御プログラムがロードされてシステムが起動されるまでの間、ブート画面として出力するブート画面出力ステップと、
前記ＢＳＰ実行ステップに基づいて、前記制御プログラムをロードし、システムを起動させる制御プログラム起動ステップと、
を備えることを特徴とするディジタルテレビジョン放送受信装置のブート方法。
【発明の詳細な説明】
【技術分野】
【０００１】
本発明はディジタルテレビジョン放送信号を受信するディジタルテレビジョン放送受信装置及びそのブート方法に関する。
【背景技術】
【０００２】
近年、ディジタルテレビジョン放送（以下、ＤＴＶ放送と略す）が実用化されている。ＤＴＶ放送では、複数のテレビ番組の映像や音声をディジタル圧縮技術により圧縮符号化した後、時分割多重化し、その信号を所定周波数帯域の高周波電波に変調してＤＴＶ放送信号として配信している。なお、ＤＴＶ放送では、複数のテレビ番組の放送信号を多重化した所定周波数帯域のＤＴＶ放送信号を物理チャンネルと呼び、その周波数帯域に多重化される個々のテレビ番組の放送信号をサブチャンネルと呼んでいる。
【０００３】
ＤＴＶ放送を受信するＤＴＶ放送受信装置は、ユーザがリモコン等により視聴したい番組のチャンネル（すなわち物理チャンネルとサブチャンネル）を選択すると、その物理チャンネルに対応する周波数帯域の高周波電波を受信し、その受信信号を復調することにより、圧縮符号化された複数のテレビ番組の映像や音声等の信号が時分割多重化された状態の信号を得ることができる。この信号はＴＳ（Transport  Stream）と呼ばれ、このＴＳには、各テレビ番組の映像及び音声、並びにデータ等の要素信号が納められたＴＳパケットが多重されている。
【０００４】
そして、上記のＤＴＶ放送受信装置は、このＴＳから各サブチャンネルに対応するテレビ番組の映像信号や音声信号を含むＴＳパケットを分離抽出し、その映像信号や音声信号を圧縮符号化される前の状態に復号化してモニタ装置へ出力する。また、ＤＴＶ放送受信装置は、このＴＳから電子番組情報（ＥＰＧ：Electronic  Program  Guide）を抽出してＥＰＧを出力する。なお、このようなＤＴＶ放送受信装置として、例えば、ＥＰＧ画面上に表示されないテレビ番組についても、ＥＰＧ画面を利用して番組予約できるようにした装置等が知られている（例えば、特許文献１参照）。
【０００５】
ところで、このようなＤＴＶ放送受信装置では、装置のブートの際、比較的小さなブートストラッププログラム（ＢＳＰ：Boot  Strap  Program）を実行することにより、より大きな制御プログラムをロードして、システムを起動させている。
【特許文献１】特開２００３−２１９３３１号公報
【発明の開示】
【発明が解決しようとする課題】
【０００６】
しかしながら、アナログテレビジョン放送受信装置に比べ、複雑な制御が必要となるＤＴＶ放送受信装置においては、制御プログラムをロードしてからシステムを起動するまでに長いブート時間を要し、その間、ユーザはＤＴＶ放送受信装置を操作することができず、待ち時間を有効に利用することが難しかった。
【０００７】
本発明は、上記課題を解決するためになされたものであり、ブート時の待ち時間を有効に利用することができるＤＴＶ放送受信装置及びそのブート方法を提供することを目的とする。
【課題を解決するための手段】
【０００８】
上記目的を達成するために請求項１の発明は、ディジタルテレビジョン放送信号を受信する受信手段と、前記受信手段により受信したディジタルテレビジョン放送信号から映像、音声、及びデータの各要素信号を抽出する要素信号抽出手段と、前記要素信号抽出手段により抽出された各要素信号をモニタ出力する出力手段と、装置のブート時に、ブートストラッププログラム（Boot  Strap  Program）を実行することにより、制御プログラムをロードして、システムを起動させるブート手段とを備えたディジタルテレビジョン放送受信装置において、前記要素信号抽出手段により抽出されたＥＰＧ（Electronic  Program  Guide）に関するデータに基づいて、所定時間ごとの番組表を、所定期間先まで作成する番組表作成手段と、前記番組表作成手段により作成された番組表を記憶する番組表記憶手段とを更に備え、前記ブート手段は、前記番組表記憶手段に記憶されている番組表の中からブートされる時間帯における番組表を選択し、この選択された番組表を、前記制御プログラムがロードされて前記システムが起動されるまでの間、ブート画面として出力させることを特徴とする。
【０００９】
請求項２の発明は、ディジタルテレビジョン放送信号を受信する受信手段と、前記受信手段により受信したディジタルテレビジョン放送信号から映像、音声、及びデータの各要素信号を抽出する要素信号抽出手段と、前記要素信号抽出手段により抽出された各要素信号をモニタ出力する出力手段と、装置のブート時に、ブートストラッププログラムを実行することにより、制御プログラムをロードして、システムを起動させるブート手段とを備えたディジタルテレビジョン放送受信装置において、前記要素信号抽出手段により抽出されたＥＰＧに関するデータを記憶するＥＰＧ記憶手段を更に備え、前記ブート手段は、前記ＥＰＧ記憶手段に記憶されているＥＰＧに関するデータを、前記制御プログラムがロードされて前記システムが起動されるまでの間、ブート画面として出力させることを特徴とする。
【００１０】
請求項３の発明は、ディジタルテレビジョン放送受信装置のシステムを起動させる、ディジタルテレビジョン放送受信装置のブート方法であって、ブートストラッププログラムを実行するＢＳＰ実行ステップと、前記ＢＳＰ実行ステップに基づいて、不揮発性メモリに記憶されているＥＰＧに関するデータをロードし、このデータを、制御プログラムがロードされてシステムが起動されるまでの間、ブート画面として出力するブート画面出力ステップと、前記ＢＳＰ実行ステップに基づいて、前記制御プログラムをロードし、システムを起動させる制御プログラム起動ステップとを備えることを特徴とする。
【発明の効果】
【００１１】
以上のように請求項１の発明によれば、装置のブートの際、ブート手段により、番組表記憶手段に記憶されている番組表の中からブートされる時間帯における番組表が選択され、この選択された番組表が、制御プログラムがロードされてシステムが起動されるまでの間、ブート画面として出力されるので、ユーザは、装置を操作することができないブート時の待ち時間を、放送される番組の把握などに有効に利用することができる。
【００１２】
また、番組表は所定時間ごとに作成され、作成された番組表の中からブートされる時間帯における番組表が選択されてブート時に出力されるので、ブートされる時間帯において放送されているテレビ番組の把握が容易になる。
【００１３】
請求項２及び請求項３の発明によれば、ＥＰＧに関するデータが、制御プログラムがロードされてシステムが起動されるまでの間、ブート画面として出力されるので、ユーザは、装置を操作することができないブート時の待ち時間を、放送される番組の把握などに有効に利用することができる。
【発明を実施するための最良の形態】
【００１４】
以下、本発明を具体化した実施形態について図１乃至図４を参照して説明する。ＤＴＶ放送受信装置１は、放送局から配信されるＤＴＶ放送信号をアンテナ１０を介して受信し、ＤＴＶ放送信号に含まれる映像信号及び音声信号等をモニタ装置２に出力する装置であり、チューナ１１と、デコーダ１２と、オンスクリーンディスプレイ部（ＯＳＤ部）１３と、リモコン受信部１４と、ＲＯＭ１５と、フラッシュメモリ１６と、ＣＰＵ１７を備えている。
【００１５】
ＤＴＶ放送受信装置１には、放送局から所定周波数の高周波電波で発信されるＤＴＶ放送信号を受信するためのアンテナ１０と、テレビ番組の映像を映し出すと共に音声を出力するモニタ装置２が接続される。
【００１６】
チューナ（受信手段）１１は、その受信周波数を、ユーザにより選局された物理チャンネルに対応する周波数に同調させることにより、選局された物理チャンネルのＤＴＶ放送信号をアンテナ１０を介して受信する。
【００１７】
デコーダ１２は、チューナ１１で受信したＤＴＶ放送信号の復調、誤り訂正処理等を行い、多重化された信号から必要なＴＳパケットを分離する。また、デコーダ１２は、ＭＰＥＧ映像デコード部、ＭＰＥＧ音声デコード部、データデコード部（いずれも不図示）を備えており、分離した各ＴＳパケットを各デコード部に供給する。ＭＰＥＧ映像デコード部では、映像信号を含むＴＳパケットがデコードされ、映像信号が抽出される。抽出された映像信号は、ＯＳＤ部１３を介してモニタ装置２に出力され、モニタ画面２０に映像が表示される。ＭＰＥＧ音声デコード部では、音声信号を含むＴＳパケットがデコーダされ、音声信号が抽出される。抽出された音声信号はモニタ装置２に出力され、スピーカ２１から音声出力される。データデコード部では、ＥＰＧに関するデータを含むＴＳパケットがデコードされ、ＥＰＧに関するデータが抽出される。抽出されたＥＰＧに関するデータに基づいて、後述する番組表作成処理により番組表が作成される。このようにデコーダ１２は、要素信号抽出手段、出力手段及び番組表作成手段として機能する。
【００１８】
ＯＳＤ部１３は、デコーダ１２から入力された映像信号に所定の表示画像を重畳させて、モニタ装置２に出力する。リモコン受信部１４は、リモコン３から送出された信号を受信し、ＣＰＵ１７へ出力する。リモコン３は、フル電源状態と待機状態を切り替える電源ボタン、ＥＰＧ画面を表示させるためのＥＰＧキー、テンキー及び決定キーなどを備えており、ユーザによるキー操作に応じた赤外線信号をリモコン受信部１４に送出する。
【００１９】
ＲＯＭ１５は、ＤＴＶ放送受信装置１のシステム全体を制御するための制御プログラム（Operating  System）を記憶している。フラッシュメモリ（番組表記憶手段）１６は、ＤＴＶ放送受信装置１のブート時に制御プログラムに先立ってロードされるＢＳＰを記憶すると共に、後述する番組表作成処理によって作成される番組表を記憶する。フラッシュメモリ１６に記憶された番組表は、電源遮断時においても保存され、ＤＴＶ放送受信装置１のブート時に利用される。ＣＰＵ（ブート手段）１７は、後述するブート処理をＤＴＶ放送受信装置１のブート時に実行すると共に、システム稼動時においては、制御プログラムに従って各種処理を実行し、ＤＴＶ放送受信装置１全体を制御する。
【００２０】
次に、番組表作成処理について図２のフローチャートを参照して説明する。上述したように、チューナ１１は選択されたチャンネルの選局を行ってＤＴＶ放送信号を受信し（Ｓ１）、受信したＤＴＶ放送信号をデコーダ１２に出力する。デコーダ１２ではＥＰＧに関するデータを含むＴＳパケットが分離抽出され（Ｓ２）、データデコード部でＥＰＧに関するデータが抽出される（Ｓ３）。さらに、データデコード部では、抽出されたＥＰＧに関するデータに基づいて所定時間ごとの番組表が、所定期間先まで作成される（Ｓ４）。作成された番組表は、フラッシュメモリ１６に出力され、フラッシュメモリ１６に記憶される（Ｓ５）。このような処理を行うことにより、例えば、２時間ごとの番組表が数日分、作成されてフラッシュメモリ１６に記憶される。なお、番組表作成処理は、システムの稼動時に所定時間毎に行ってもよく、ＤＴＶ放送受信装置１のシャットダウン時に行ってもよい。
【００２１】
次に、ＤＴＶ放送受信装置１をブートする際に実行されるブート処理について図３のフローチャートを参照して説明する。ユーザによりＤＴＶ放送受信装置１の電源がオンにされると、まず、Ｉ／Ｏのチェックやメモリのチェックなどのシステムの初期チェックが行われる（Ｓ２１）。システムに異常がなく、初期チェックが無事に終了すると、フラッシュメモリ１６に記憶されたＢＳＰがロードされ、実行される（ＢＳＰ実行ステップ）（Ｓ２２）。ＢＳＰには、フラッシュメモリ１６に記憶されている番組表の中からブートされる時間帯における番組表を選択してブート画面として出力させる処理が含まれており、この処理に基づいて、フラッシュメモリ１６に記憶されている番組表が、制御プログラムがロードされてシステムが起動されるまでの間、モニタ画面２０に表示される（ブート画面出力ステップ）（Ｓ２３）。次に、ＢＳＰは、制御プログラムをロードする処理を実行し、この処理に基づいて、制御プログラムがロードされ、システムが起動される（制御プログラム起動ステップ）（Ｓ２４）。
【００２２】
図４は、ブート画面の例を示す図であり、午後２時過ぎに、ＤＴＶ放送受信装置１をブートした場合のブート画面を示している。モニタ画面２０には、ＤＴＶ放送受信装置１がブート中であることを知らせるメッセージが表示されると共に、午後２時から午後４時までに各チャンネルにおいて放送されるテレビ番組が表示されている。
【００２３】
以上のように、本実施形態に係るＤＴＶ放送受信装置１によれば、装置１のブートの際、フラッシュメモリ１６に記憶されている番組表の中からブートされる時間帯における番組表が選択され、この選択された番組表が、制御プログラムがロードされてシステムが起動されるまでの間、ブート画面として出力されるので、ユーザは、装置１を操作することができないブート時の待ち時間を、放送される番組の把握などに有効に利用することができる。
【００２４】
また、番組表は所定時間ごとに作成され、作成された番組表の中からブートされる時間帯における番組表が選択されてブート時に出力されるので、ブートされる時間帯において放送されているテレビ番組の把握が容易になる。
【００２５】
なお、本発明は上記実施形態の構成に限られることなく種々の変形が可能である。例えば、番組表は必ずしも所定時間ごとに所定期間先まで作成される必要はなく、ＤＴＶ放送受信装置１のシステム稼動時にＥＰＧに関するデータを所定のフォーマットでフラッシュメモリ（ＥＰＧ記憶手段）１６に記憶しておき、ブート時にこのデータをブート画面として出力するようにしてもよい。
【図面の簡単な説明】
【００２６】
【図１】本発明の一実施形態に係るディジタルテレビジョン放送受信装置の構成を示すブロック図。
【図２】同受信装置の番組表作成処理を示すフローチャート。
【図３】同受信装置のブート処理を示すフローチャート。
【図４】同受信装置によって出力されるブート画面を示す図。
【符号の説明】
【００２７】
１    ディジタルテレビジョン放送受信装置
２    モニタ装置
３    リモコン
１０  アンテナ
１１  チューナ（受信手段）
１２  デコーダ（要素信号抽出手段，出力手段，番組表作成手段）
１３  ＯＳＤ部
１４  リモコン受信部
１５  ＲＯＭ
１６  フラッシュメモリ（番組表記憶手段，ＥＰＧ記憶手段）
１７  ＣＰＵ（ブート手段）
【図１】
2006025195.tif 000003
【図２】
2006025195.tif 000004
【図３】
2006025195.tif 000005
【図４】
2006025195.tif 000006